(57)【要約】【課題】簡単に効率よくイカそうめんを並べた状態でトレーに盛り付けることができるイカそうめんトレー盛付装置を提供する。【解決手段】盛付部１０は、イカそうめんを載置するベルト１１と、このベルト１１の長さ方向における両端部が配設された固定部材１２と、ベルト１１の長さ方向において固定部材１２に対して相対的に移動可能に配設されている摺動部材１３とを備える。摺動部材１３は、ベルト１１を支持するベルト支持板１３Ａ及びベルト１１の方向を反転させるベルト周回部１３Ｂを有している。ベルト１１は、ベルト支持板１３Ａの上側の固定部材１２からベルト支持板１３Ａに沿って先端側に伸長され、先端部で方向が反転されて後端側に伸長され、ベルト周回部１３Ｂにおいて方向が反転されて、ベルト支持板１３Ａの下側の固定部材１２まで伸長されている。【選択図】図２
2020001765.tif 000002
【特許請求の範囲】
【請求項１】
イカそうめんをトレーに盛り付けるイカそうめんトレー盛付装置であって、
切断されたイカそうめんを載置するベルトと、
このベルトの長さ方向における両端部が配設された固定部材と、
前記ベルトの長さ方向において前記固定部材に対して相対的に移動可能に配設されており、前記ベルトを支持するベルト支持板及び前記ベルトの方向を反転させるベルト周回部を有する摺動部材と、
前記固定部材と前記摺動部材とを相対的に移動させて前記ベルトを摺動させるベルト摺動手段とを備え、
前記ベルトは、前記ベルト支持板に沿って伸長され、前記ベルト支持板の先端部及び前記ベルト周回部において方向が反転されて、両端部が前記固定部材に固定されており、
前記ベルト摺動手段は、前記固定部材を前記ベルト支持板の先端部から離間する方向に相対的に移動させることにより、前記ベルトを摺動させながら、前記切断されたイカそうめんを前記ベルトの上に載置させると共に、前記固定部材を前記ベルト支持板の先端部に近づける方向に相対的に移動させることにより、前記ベルトを摺動させて、前記切断されたイカそうめんを前記トレーに盛り付ける
ことを特徴とするイカそうめんトレー盛付装置。
【請求項２】
前記ベルトに切断されたイカそうめんを供給する供給部を備え、
この供給部は、前記ベルトよりも垂直方向において上方に位置し、前記ベルトに上方から切断されたイカそうめんを引き渡す引き渡し部を有し、
この引き渡し部から引き渡される切断されたイカそうめんの引き渡し速度に合わせて、前記ベルト摺動手段により、前記固定部材を前記ベルト支持板の先端部から離間する方向に相対的に移動させる
ことを特徴とする請求項１記載のイカそうめんトレー盛付装置。
【請求項３】
前記供給部から供給されるイカそうめんの長さを検出する長さ検出手段を備え、
前記長さ検出手段により検出したイカそうめんの長さに応じて、前記ベルト摺動手段により、前記固定部材を前記ベルト支持板の先端部から離間する方向に相対的に移動させる移動量が調整される
ことを特徴とする請求項２記載のイカそうめんトレー盛付装置。
【請求項４】
前記供給部から供給されるイカそうめんの幅方向における位置を検出する位置検出手段と、
前記位置検出手段により検出したイカそうめんの位置に応じて、前記ベルト、前記固定部材、及び、前記摺動部材の前記供給部に対する幅方向における位置を調節する幅方向調節手段と
を備えたことを特徴とする請求項２又は請求項３記載のイカそうめんトレー盛付装置。
【請求項５】
前記ベルトよりも垂直方向において下方に位置し、前記トレーを運搬するトレー運搬手段を備えた
ことを特徴とする請求項１から請求項４のいずれか１に記載のイカそうめんトレー盛付装置。
【請求項６】
前記切断されたイカそうめんを前記トレーに盛り付ける際に、前記摺動部材を前記トレーに対して前記ベルトの長さ方向において相対的に移動させることにより、前記摺動部材の前記トレーに対する位置を調整する盛付位置調整手段を備えた
ことを特徴とする請求項１から請求項５のいずれか１に記載のイカそうめんトレー盛付装置。
【発明の詳細な説明】
【技術分野】
【０００１】
本発明は、イカそうめんをトレーに盛り付けるイカそうめんトレー盛付装置に関する。
【背景技術】
【０００２】
イカそうめんは、生のイカを麺状又は短冊状に細く切ったものであり、広く一般に食されている。イカそうめんを販売する場合には、例えば、麺状又は短冊状に切断されたイカそうめんを切断方向に対して垂直方向に並列に並べ、切断方向において折り畳んで綺麗にトレーに盛り付けることが多い。イカそうめんをばらばらの状態で盛り付けるよりも、綺麗に並べた方が一目でイカそうめんとわかり、また、見た目にも美しいからである。そのため、従来は、例えば、イカを麺状又は短冊状に切断した後、作業員が箸や専用の器具を用いてイカそうめんの並びを崩さないように持ち、トレーに折り畳んで盛り付けていた。
【先行技術文献】
【特許文献】
【０００３】
【特許文献１】特許第３３８１２２２号公報
【発明の概要】
【発明が解決しようとする課題】
【０００４】
しかし、作業員が一つ一つ盛り付けるには手間がかかり、また、作業員の熟練が必要であるという問題があった。
【０００５】
本発明は、このような問題に基づきなされたものであり、簡単に効率よくイカそうめんを並べた状態でトレーに盛り付けることができるイカそうめんトレー盛付装置を提供することを目的とする。
【０００６】
なお、特許文献１には、ソーメン状に切断加工したいかを２つ折りにした包装用シートで包装する包装機が記載されている。しかしながら、特許文献１に記載の包装機は、イカそうめんをトレーに並べるものではなく、構成が全く異なっている。
【課題を解決するための手段】
【０００７】
本発明のイカそうめんトレー盛付装置は、イカそうめんをトレーに盛り付けるものであって、切断されたイカそうめんを載置するベルトと、このベルトの長さ方向における両端部が配設された固定部材と、ベルトの長さ方向において固定部材に対して相対的に移動可能に配設されており、ベルトを支持するベルト支持板及びベルトの方向を反転させるベルト周回部を有する摺動部材と、固定部材と摺動部材とを相対的に移動させてベルトを摺動させるベルト摺動手段とを備え、ベルトは、ベルト支持板に沿って伸長され、ベルト支持板の先端部及びベルト周回部において方向が反転されて、両端部が固定部材に固定されており、ベルト摺動手段は、固定部材をベルト支持板の先端部から離間する方向に相対的に移動することにより、ベルトを摺動させながら、切断されたイカそうめんをベルトの上に載置させると共に、固定部材をベルト支持板の先端部に近づける方向に相対的に移動させることにより、ベルトを摺動させて、切断されたイカそうめんをトレーに盛り付けるものである。
【発明の効果】
【０００８】
本発明によれば、ベルトをベルト支持板に沿って伸長させ、ベルト支持板の先端部及びベルト周回部において方向を反転させて、両端部を固定部材に固定し、かつ、ベルト摺動手段により、固定部材をベルト支持板の先端部から離間する方向に相対的に移動させて、ベルトを摺動させながら、切断されたイカそうめんをベルトの上に載置させると共に、固定部材をベルト支持板の先端部に近づける方向に相対的に移動させ、ベルトを摺動させて、切断されたイカそうめんをトレーに盛り付けるようにしたので、ベルトを摺動させることにより、切断されたイカそうめんを並べた状態でベルトの上に乗せ、そこからトレーに盛り付けることができる。よって、簡単に効率よくイカそうめんを並べた状態でトレーに盛り付けることができる。
【０００９】
また、ベルトよりも上方に位置する引き渡し部からベルトにイカそうめんを引き渡し、その引き渡し速度に合わせて、ベルト摺動手段により、固定部材をベルト支持板の先端部から離間する方向に相対的に移動させるようにすれば、容易にイカそうめんを並べた状態でベルトの上に載置することができる。
【００１０】
更に、長さ検出手段により供給部から供給されるイカそうめんの長さを検出し、それに応じて、ベルト摺動手段により、固定部材をベルト支持板の先端部から離間する方向に相対的に移動させる移動量を調整するようにすれば、より効率よく、イカそうめんを並べた状態でベルトの上に載置することができる。
【００１１】
加えて、位置検出手段により供給部から供給されるイカそうめんの幅方向における位置を検出し、それに応じて、幅方向調節手段により、ベルト、固定部材、及び、摺動部材の供給部に対する幅方向における位置を調節するようにすれば、容易にイカそうめんを並べた状態でベルトの上に乗せ、そこから容易にトレーに盛り付けることができる。
【００１２】
更にまた、切断されたイカそうめんをトレーに盛り付ける際に、盛付位置調整手段により、摺動部材をトレーに対してベルトの長さ方向において相対的に移動させ、摺動部材のトレーに対する位置を調整するようにすれば、様々な盛り付け方でより容易にイカそうめんをトレーに盛り付けることができる。
【図面の簡単な説明】
【００１３】
【図１】本発明の一実施の形態に係るイカそうめんトレー盛付装置の全体構成を表す図である。
【図２】図１に示した盛付部の構成を表す図である。
【図３】図１に示した供給部を横から見た構成を表す図である。
【図４】図１に示した盛付部の構成を説明する図である。
【図５】盛付部の動作を示す図である。
【発明を実施するための形態】
【００１４】
以下、本発明の実施の形態について図面を参照して詳細に説明する。
【００１５】
図１は、本実施の形態に係るイカそうめんトレー盛付装置１の全体構成を表すものである。このイカそうめんトレー盛付装置１は、イカそうめんＭ１をトレーＭ２に並べて盛り付けるものであり、イカそうめんＭ１をトレーＭ２に盛り付ける盛付部１０と、盛付部１０に切断されたイカそうめんＭ１を供給する供給部２０と、トレーＭ２を運搬する運搬部３０とを備えている。
【００１６】
図２は、盛付部１０の構成を表すものである。盛付部１０は、例えば、切断されたイカそうめんＭ１を載置するベルト１１と、このベルト１１の長さ方向における両端部が配設された固定部材１２と、ベルト１１の長さ方向において固定部材１２に対して相対的に移動可能に配設されている摺動部材１３と、固定部材１２と摺動部材１３とを相対的に移動させるベルト摺動手段１４とを備えている。
【００１７】
摺動部材１３は、ベルト１１を支持するベルト支持板１３Ａ及びベルト１１の方向を反転させるベルト周回部１３Ｂを有している。ベルト支持板１３Ａは、例えば、一方向に伸長され、一面を上にしてほぼ水平に配設されている。ベルト周回部１３Ｂは、例えば、ベルト支持板１３Ｂとの間に間隔を開けて、ベルト支持板１３Ａの後端下側に配設されている。固定部材１２は、例えば、ベルト支持板１３Ａの幅方向において周りを囲むように枠状に形成されている。
【００１８】
ベルト１１は、例えば、長さ方向における一端部がベルト支持板１３Ａの上側において固定部材１２に固定され、他端部がベルト支持板１３Ａの下側において固定部材１２に固定されている。ベルト１１は、例えば、ベルト支持板１３Ａの上側の固定部材１２からベルト支持板１３Ａに沿って先端側に伸長され、先端部で方向が反転されて後端側に伸長され、ベルト周回部１３Ｂにおいて方向が反転されて、ベルト支持板１３Ａの下側の固定部材１２まで伸長されている。これにより、固定部材１２をベルト支持板１３Ａの長さ方向に相対的に移動させると、ベルト１１がベルト支持板１３Ａに沿って摺動するようになっている。
【００１９】
ベルト摺動手段１４は、固定部材１２をベルト支持板１３Ａの先端部から離間する方向に相対的に移動させることにより、ベルト１１を摺動させながら、切断されたイカそうめんＭ１を並べた状態でベルト１１の上に載置させると共に、固定部材１２をベルト支持板１３Ａの先端部に近づける方向に相対的に移動させることにより、ベルト１１を摺動させて、切断されたイカそうめんＭ１を並べた状態でベルト１１からトレーＭ２に移し替えて盛り付けるように構成されている。例えば、本実施の形態では、図２に矢印で示したように、ベルト摺動手段１４は、ベルト支持板１３Ａに対して固定部材１２を移動させて、ベルト支持板１３Ａの上面に露出させるベルト１１の量を調整するようになっている。
【００２０】
図３は、供給部２０を横から見た構成を表すものである。供給部２０は、例えば、コンベア等よりなるイカ運搬手段２１を有している。イカ運搬手段２１の終端部は、例えば、ベルト１１よりも垂直方向において上方に位置しており、ベルト１１に上方から切断されたイカそうめんＭ１を引き渡す引き渡し部２１Ａとなっている。引き渡し部２１Ａには、例えば、切断手段２１Ｂが設けられており、イカ運搬手段２１により運搬されてきたイカＭ３を麺状又は短冊状に細く切断しなから垂下させてベルト１１に引き渡すように構成されている。ベルト摺動手段１４は、例えば、この引き渡し部２１Ａから引き渡される切断されたイカそうめんＭ１の引き渡し速度、例えば、イカ運搬手段２１の運搬速度に合わせて、固定部材１２をベルト支持板１３Ａの先端部から離間する方向に相対的に移動させるように制御されることが好ましい。
【００２１】
イカ運搬手段２１の上には、例えば、イカ運搬手段２１により運搬されるイカＭ３を撮像するカメラなどの撮像手段２２が配設されている。撮像手段２２には、例えば、撮像手段２２により撮像した映像に基づき、供給部２０から供給されるイカそうめんＭ１の長さを検出する長さ検出手段２３が接続されている。イカそうめんＭ１の長さというのは、イカ運搬手段２１の長さ方向におけるイカそうめんＭ１の長さ（すなわち、イカ運搬手段２１の長さ方向におけるイカＭ３の長さ）である。図１に示したように、イカ運搬手段２１で運搬されてくるイカＭ３の向きは一定ではなく、また、イカＭ３の大きさには個体差があるので、これらに対応することができるようにするためである。
【００２２】
ベルト摺動手段１４は、例えば、長さ検出手段２３により検出したイカそうめんＭ１の長さに応じて、固定部材１２をベルト支持板１３Ａの先端部から離間する方向に相対的に移動させる移動量を調整するように制御される。ベルト１１の所定の位置にイカそうめんＭ１を載置することにより、トレーＭ２にイカそうめんＭ１をより綺麗に盛り付けることができるからである。
【００２３】
また、撮像手段２２には、例えば、撮像手段２２により撮像した映像からイカそうめんＭ１の位置を検出する位置検出手段２４が接続されている。イカそうめんＭ１の位置というのは、イカ運搬手段２１の幅方向におけるイカそうめんＭ１の位置（すなわち、イカ運搬手段２１の幅方向におけるイカＭ３の位置）である。図１に示したように、イカ運搬手段２１で運搬されてくるイカＭ３の幅方向における位置は一定ではないので、これに対応することができるようにするためである。
【００２４】
これに対応して、盛付部１０には、位置検出手段２４により検出したイカそうめんＭ１の位置に応じて、ベルト１１、固定部材１２、及び、摺動部材１３の供給部２０（具体的にはイカ搬送手段２１）に対する幅方向における位置を調節する幅方向調節手段１５が設けられている。ベルト１１の所定の位置にイカそうめんＭ１を載置することにより、トレーＭ２にイカそうめんＭ１をより綺麗に盛り付けることができるからである。
【００２５】
運搬部３０は、例えば、トレーＭ２を運搬するコンベア等よりなるトレー運搬手段３１を有している。トレー運搬手段３１は、例えば、ベルト１１よりも垂直方向において下方に位置しており、イカ運搬手段２１の伸長方向から９０度回転した方向に伸長されている。トレー運搬手段３１は、例えば、盛付部１０によるイカそうめんの盛付動作に合わせて、間欠的にトレーＭ２を移動させるようになっている。
【００２６】
また、盛付部１０には、例えば、供給部２０からイカそうめんを受け取ったのち、ベルト１１及び摺動部材１３の向きを９０度回転させ、ベルト支持板１３Ａの長さ方向をトレー運搬手段３１の伸長方向に合わせる向き変更手段１６が設けられている。
【００２７】
更に、盛付部１０は、例えば、切断されたイカそうめんＭ１をトレーＭ２に盛り付ける際に、摺動部材１３をトレーＭ２に対してベルト１１の長さ方向において相対的に移動させることにより、摺動部材１３のトレーＭ２に対する位置を調整する盛付位置調整手段１７を備えている。例えば、本実施の形態では、盛付位置調整手段１７は、トレーＭ２を固定し、トレーＭ２に対して摺動部材１３をベルト１１の長さ方向に移動させて、トレーＭ２に対する位置を調整するようになっている。盛付位置調整手段１７は、例えば、図４（Ａ）に示したように、摺動部材１３をトレーＭ２の一端部から他端部に向かい一方向に移動させてイカそうめんＭ１を平らに盛り付けるように調整してもよいが、図４（Ｂ）に示したように、摺動部材１３をトレーＭ２の一端部よりも中央寄りから一端部に向かい移動させたのち、他端部に向かい移動させて、イカそうめんＭ１を長さ方向において折り畳んで盛り付けるように調整してもよい。
【００２８】
このイカそうめんトレー盛付装置１は、例えば、次ようにして用いられる。まず、例えば、供給部２０において、イカ運搬手段２１によりイカＭ３を順次運搬し、終端部に設けられた引き渡し部２１ＡでイカＭ３を麺状又は短冊状に細く切断しなから垂下させ、盛付部１０のベルト１１に引き渡す。
【００２９】
次いで、盛付部１０では、例えば、図５（Ａ）に示したように、引き渡し部２１Ａから引き渡される切断されたイカそうめんＭ１の引き渡し速度に合わせて、ベルト摺動手段１４により、固定部材１２をベルト支持板１３Ａの先端部から離間する方向に相対的に移動させる。これにより、例えば、図５（Ｂ）に示したように、ベルト１１の上に、イカそうめんＭ１がベルト１１の長さ方向に伸長されて並列に並べられた状態で載置される。
【００３０】
なお、その際、ベルト摺動手段１４は、例えば、長さ検出手段２３により検出したイカそうめんＭ１の長さに応じて、固定部材１２をベルト支持板１３Ａの先端部から離間する方向に相対的に移動させる移動量を調整する。また、ベルト１１でイカそうめんＭ１を受け取る際には、位置検出手段２４により検出したイカそうめんＭ１の位置に応じて、幅方向調節手段１５により、ベルト１１、固定部材１２、及び、摺動部材１３の供給部２０に対する幅方向における位置を調節する。
【００３１】
続いて、例えば、向き変更手段１６によりベルト１１及び摺動部材１３の向きを９０度回転させてベルト支持板１３Ａの長さ方向をトレー運搬手段３１の伸長方向に合わせる。次に、例えば、図５（Ｃ）に示したように、ベルト摺動手段１４により、固定部材１２をベルト支持板１３Ａの先端部に近づける方向に相対的に移動させてベルト１１を摺動させ、トレー運搬手段３１により運搬されてきたトレーＭ２の上に、イカそうめんＭ１を盛り付ける。その際、例えば、盛付位置調整手段１７により、摺動部材１３をトレーＭ２に対してベルト１１の長さ方向において相対的に移動させ、摺動部材１３のトレーＭ２に対する位置を調整し、イカそうめんＭ１の盛付位置を調整する。そののち、トレー運搬手段３１により、イカそうめんＭ１が盛り付けられたトレーＭ２を運搬し、包装する。
【００３２】
このように、本実施の形態によれば、ベルト１１をベルト支持板１３Ａに沿って伸長させ、ベルト支持板１３Ａの先端部及びベルト周回部１３Ｂにおいて方向を反転させて、両端部を固定部材１２に固定し、かつ、ベルト摺動手段１４により、固定部材１２をベルト支持板１３Ａの先端部から離間する方向に相対的に移動させて、ベルト１１を摺動させながら、切断されたイカそうめんＭ１を並べた状態でベルト１１の上に載置させると共に、固定部材１２をベルト支持板１３Ａの先端部に近づける方向に相対的に移動させ、ベルト１１を摺動させて、切断されたイカそうめんＭ１を並べた状態でトレーＭ２に盛り付けるようにしたので、ベルト１１を摺動させることにより、切断されたイカそうめんＭ１を並べた状態でベルト１１の上に乗せ、そこからトレーＭ２に盛り付けることができる。よって、簡単に効率よくイカそうめんＭ１を並べた状態でトレーＭ２に盛り付けることができる。
【００３３】
また、ベルト１１よりも上方に位置する引き渡し部２１Ａからベルト１１にイカそうめんＭ１を引き渡し、その引き渡し速度に合わせて、ベルト摺動手段１４により、固定部材１２をベルト支持板１３Ａの先端部から離間する方向に相対的に移動させるようにすれば、容易にイカそうめんＭ１を並べた状態でベルト１１の上に載置することができる。
【００３４】
更に、長さ検出手段２３により供給部２０から供給されるイカそうめんＭ１の長さを検出し、それに応じて、ベルト摺動手段１４により、固定部材１２をベルト支持板１３Ａの先端部から離間する方向に相対的に移動させる移動量を調整するようにすれば、より効率よく、イカそうめんＭ１を並べた状態でベルト１１の上に載置することができる。
【００３５】
加えて、位置検出手段２４により供給部２０から供給されるイカそうめんＭ１の幅方向における位置を検出し、それに応じて、幅方向調節手段１５により、ベルト１１、固定部材１２、及び、摺動部材１３の供給部２０に対する幅方向における位置を調節するようにすれば、容易にイカそうめんを並べた状態でベルトの上に乗せ、そこから容易にトレーに盛り付けることができる。
【００３６】
更にまた、切断されたイカそうめんＭ１をトレーＭ２に盛り付ける際に、盛付位置調整手段１７により、摺動部材１３をトレーＭ２に対してベルト１１の長さ方向において相対的に移動させ、摺動部材１３のトレーＭ２に対する位置を調整するようにすれば、様々な盛り付け方でより容易にイカそうめんＭ１をトレーＭ２に盛り付けることができる。
【００３７】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えなくてもよく、また、他の構成要素を備えていてもよい。
【００３８】
また、上記実施の形態では、ベルト周回部１３Ｂをベルト支持板１３Ａの後端下側に設け、固定部材１２をベルト支持板１３Ａの先端部から離間する方向に相対的に移動させることにより、イカそうめんＭ１をベルト１１の上に載置させ、固定部材１２をベルト支持板１３Ａの先端部に近づける方向に相対的に移動させることにより、イカそうめんＭ１をトレーに盛り付ける場合について説明したが、ベルト周回部１３Ｂをベルト支持板１３Ａの後端上側に設けるようにしてもよい。この場合、固定部材１２をベルト支持板１３Ａの後端側から先端部に近づける方向に相対的に移動させることにより、イカそうめんＭ１をベルト１１の上に載置させ、固定部材１２をベルト支持板１３Ａの先端部から離間させる方向に相対的に移動させることにより、イカそうめんＭ１をトレーに盛り付ける。
【００３９】
更に、上記実施の形態では、ベルト摺動手段１４が、ベルト支持板１３Ａを固定し、固定部材１２を移動させて、ベルト支持板１３Ａの上面に露出させるベルト１１の量を調整する場合について説明したが、供給部２０からイカそうめんＭ１を受け取る際には、ベルト支持板１３Ａを固定して固定部材１２を移動させ、イカそうめんＭ１をベルト１１からトレーＭ２に移し替える際には、固定部材１２を固定してベルト支持板１３Ａを移動させるようにしてもよい。
【産業上の利用可能性】
【００４０】
ホタテガイの加工に用いることができる。
【符号の説明】
【００４１】
１…イカそうめんトレー盛付装置、１０…盛付部、１１…ベルト、１２…固定部材、１３…摺動部材、１３Ａ…ベルト支持板、１３Ｂ…ベルト周回部、１４…ベルト摺動手段、１５…幅方向調節手段、１６…向き変更手段、１７…盛付位置調整手段、２０…供給部、２１…イカ運搬手段、２１Ａ…引き渡し部、２１Ｂ…切断手段、２２…撮像手段、２３…長さ検出手段、２４…位置検出手段、３０…運搬部、３１…トレー運搬手段、Ｍ１…イカそうめん、Ｍ２…トレー、Ｍ３…イカ
【図１】
2020001765.tif 000003
【図２】
2020001765.tif 000004
【図３】
2020001765.tif 000005
【図４】
2020001765.tif 000006
【図５】
2020001765.tif 000007
【手続補正書】
【提出日】平成30年11月1日(2018.11.1)
【手続補正１】
【補正対象書類名】特許請求の範囲
【補正対象項目名】全文
【補正方法】変更
【補正の内容】
【特許請求の範囲】
【請求項１】
イカそうめんをトレーに盛り付けるイカそうめんトレー盛付装置であって、
切断されたイカそうめんを載置するベルトと、
このベルトの長さ方向における両端部が配設された固定部材と、
前記ベルトの長さ方向において前記固定部材に対して相対的に移動可能に配設されており、前記ベルトを支持するベルト支持板及び前記ベルトの方向を反転させるベルト周回部を有する摺動部材と、
前記固定部材と前記摺動部材とを相対的に移動させて前記ベルトを摺動させるベルト摺動手段とを備え、
前記ベルトは、前記ベルト支持板に沿って伸長され、前記ベルト支持板の一方の先端部及び前記ベルト周回部において方向が反転されて、両端部が前記固定部材に固定されており、
前記ベルト摺動手段は、前記固定部材を前記ベルト支持板の一方の先端部から離間する方向に相対的に移動させることにより、前記ベルトを摺動させながら、前記切断されたイカそうめんを前記ベルトの上に載置させると共に、前記固定部材を前記ベルト支持板の一方の先端部に近づける方向に相対的に移動させることにより、前記ベルトを摺動させて、前記切断されたイカそうめんを前記トレーに盛り付ける
ことを特徴とするイカそうめんトレー盛付装置。
【請求項２】
前記ベルトに切断されたイカそうめんを供給する供給部を備え、
この供給部は、前記ベルトよりも垂直方向において上方に位置し、前記ベルトに上方から切断されたイカそうめんを引き渡す引き渡し部を有し、
この引き渡し部から引き渡される切断されたイカそうめんの引き渡し速度に合わせて、前記ベルト摺動手段により、前記固定部材を前記ベルト支持板の一方の先端部から離間する方向に相対的に移動させる
ことを特徴とする請求項１記載のイカそうめんトレー盛付装置。
【請求項３】
前記供給部から供給されるイカそうめんの長さを検出する長さ検出手段を備え、
前記長さ検出手段により検出したイカそうめんの長さに応じて、前記ベルト摺動手段により、前記固定部材を前記ベルト支持板の一方の先端部から離間する方向に相対的に移動させる移動量が調整される
ことを特徴とする請求項２記載のイカそうめんトレー盛付装置。
【請求項４】
前記供給部から供給されるイカそうめんの幅方向における位置を検出する位置検出手段と、
前記位置検出手段により検出したイカそうめんの位置に応じて、前記ベルト、前記固定部材、及び、前記摺動部材の前記供給部に対する幅方向における位置を調節する幅方向調節手段と
を備えたことを特徴とする請求項２又は請求項３記載のイカそうめんトレー盛付装置。
【請求項５】
前記ベルトよりも垂直方向において下方に位置し、前記トレーを運搬するトレー運搬手段を備えた
ことを特徴とする請求項１から請求項４のいずれか１に記載のイカそうめんトレー盛付装置。
【請求項６】
前記切断されたイカそうめんを前記トレーに盛り付ける際に、前記摺動部材を前記トレーに対して前記ベルトの長さ方向において相対的に移動させることにより、前記摺動部材の前記トレーに対する位置を調整する盛付位置調整手段を備えた
ことを特徴とする請求項１から請求項５のいずれか１に記載のイカそうめんトレー盛付装置。